(57)【要約】【課題】表示に必要なデータ記憶容量を低減することができる列車情報表示装置を提供することを目的とする。【解決手段】列車情報表示装置は、案内画面を構成するコンテンツについて、同じ駅で同じ種類に関するものをまとめて管理する管理手段と、予め記憶された案内画面の表示言語の順序に従って、列車情報に含まれる駅情報と走行状態と列車種別から案内画面を構成するために必要なコンテンツを選択する選択手段と、予め記憶された案内画面におけるコンテンツの配置を示す画面配置情報に従って、選択されたコンテンツを配置することで案内画面を構成する構成手段と、予め記憶された画面展開のスケジュールに応じて案内画面を展開する展開手段とを備えている。【選択図】図２
2014040216.tif 000002
【特許請求の範囲】
【請求項１】
列車を構成する各車両にそれぞれ搭載され、かつ、列車情報を受信して案内画面を表示する列車情報表示装置であって、
前記案内画面を構成するコンテンツについて、同じ駅で同じ種類に関するものをまとめて管理する管理手段と、
予め記憶された前記案内画面の表示言語の順序に従って、前記列車情報に含まれる駅情報と走行状態と列車種別から前記案内画面を構成するために必要なコンテンツを選択する選択手段と、
予め記憶された前記案内画面における前記コンテンツの配置を示す画面配置情報に従って、選択された前記コンテンツを配置することで前記案内画面を構成する構成手段と、
予め記憶された画面展開のスケジュールに応じて前記案内画面を展開する展開手段と、
を備える、列車情報表示装置。
【請求項２】
前記案内画面上における当該案内画面を構成する部品レベルの部分コンテンツの配置を定義する前記画面配置情報と、駅の属性を定義する駅定義情報と、前記列車の種別ごとの停車駅を定義する停車駅情報と、駅間の所要時間を定義する所要時間情報と、前記案内画面の展開順序およびスケジュールを定義する画面展開定義情報とを含む定義ファイルを記憶する定義ファイル記憶部をさらに備え、
前記管理手段は、前記案内画面を示す案内コンテンツを記憶する案内コンテンツ記憶部と、前記部分コンテンツについて同じ駅に関するものをまとめて記憶する部分コンテンツ記憶部とを有するコンテンツ記憶部を備え、
前記選択手段は、前記定義ファイル記憶部に定義された前記定義ファイルに基づいて、前記部分コンテンツを選択し、
前記構成手段は、選択された前記部分コンテンツを前記画面配置情報に従って配置することで前記案内画面を生成する画面生成部を備え、
前記展開手段は、生成された前記案内画面を前記画面展開定義情報に従って展開し、当該案内画面を切り替える画面切替部を備える、請求項１記載の列車情報表示装置。
【請求項３】
前記定義ファイル記憶部に記憶された前記駅定義情報と前記停車駅情報とを参照し、前記列車情報に含まれる前記駅情報と前記列車種別から、停車駅および通過駅を示すＩＤと、停車駅までの所要時間とを算出し、表示パラメータを生成する表示パラメータ生成部をさらに備え、
前記画面生成部は、前記画面配置情報を参照し、前記表示パラメータから前記案内画面を生成する、請求項２記載の列車情報表示装置。
【発明の詳細な説明】
【技術分野】
【０００１】
本発明は、列車の車両内に設置された表示装置を用いて列車情報をグラフィカルに表示する列車情報表示装置に関するものである。
【背景技術】
【０００２】
近年、列車の車両内に設置された表示装置を用いて乗客に映像情報を配信提供するシステムが提案され実用化されている。従来の列車情報表示装置では、行先案内および到着案内などの案内画面を構成するコンテンツは、一画面ごとに一枚のコンテンツとして表示装置の記憶部に予め記憶されている。
【０００３】
このように列車情報表示装置では、記憶部に記憶された各画面に１枚のコンテンツを表示させるため、列車種別、行先、または号車番号などの列車情報の一部が異なるだけでその他は同じ情報であっても、新たに１枚のコンテンツを作成し、これを記憶部に保存する必要があった。このため、コンテンツの枚数に応じてデータ記憶容量が大きくなるという問題があった。
【０００４】
例えば、特許文献１に記載のシステムでは、案内画面を構成する列車情報に対応する部品レベルのコンテンツ（部分コンテンツ）を記憶する記憶部が設けられ、列車情報に応じて必要な部分コンテンツがこの記憶部から選択される。選択された部分コンテンツが案内画面上の所定位置に配置されることで案内画面を構成している。これにより、データ記憶容量を小さくすることができ、さらに案内画面の追加、修正にも容易に対応することができる。
【先行技術文献】
【特許文献】
【０００５】
【特許文献１】特許３８７５９５０号公報
【発明の概要】
【発明が解決しようとする課題】
【０００６】
しかしながら、特許文献１に記載のシステムでは、部分コンテンツは画像であるため、同じ駅名を示す部分コンテンツであっても、日本語、平仮名、英語などの表示言語およびフォント（種類、サイズなど）が異なる場合は、違うコンテンツとして管理しなければならず、データの記憶容量が大きくなるという問題があった。
【０００７】
そこで、本発明は、表示に必要なデータ記憶容量を低減することができる列車情報表示装置を提供することを目的とする。
【課題を解決するための手段】
【０００８】
本発明に係る列車情報表示装置は、列車を構成する各車両にそれぞれ搭載され、かつ、列車情報を受信して案内画面を表示する列車情報表示装置であって、前記案内画面を構成するコンテンツについて、同じ駅で同じ種類に関するものをまとめて管理する管理手段と、予め記憶された前記案内画面の表示言語の順序に従って、前記列車情報に含まれる駅情報と走行状態と列車種別から前記案内画面を構成するために必要なコンテンツを選択する選択手段と、予め記憶された前記案内画面における前記コンテンツの配置を示す画面配置情報に従って、選択された前記コンテンツを配置することで前記案内画面を構成する構成手段と、予め記憶された画面展開のスケジュールに応じて前記案内画面を展開する展開手段とを備えるものである。
【発明の効果】
【０００９】
本発明によれば、案内画面を構成するコンテンツについて、同じ駅で同じ種類に関するものをまとめて管理する管理手段と、予め記憶された案内画面の表示言語の順序に従って、列車情報に含まれる駅情報と走行状態と列車種別から案内画面を構成するために必要なコンテンツを選択する選択手段と、予め記憶された案内画面におけるコンテンツの配置を示す画面配置情報に従って、選択されたコンテンツを配置することで案内画面を構成する構成手段と、予め記憶された画面展開のスケジュールに応じて案内画面を展開する展開手段とを備える。
【００１０】
したがって、上記のように、同じ駅で同じ種類に関するコンテンツをまとめて管理するため、表示言語およびフォント（種類、サイズなど）が異なる場合でも、１つのコンテンツとして管理することができる。これにより、表示に必要なデータ記憶容量を大幅に低減することができる。
【図面の簡単な説明】
【００１１】
【図１】実施の形態１に係る列車情報表示装置のブロック図である。
【図２】表示装置のブロック図である。
【図３】コンテンツ記憶部の記憶内容の一例を示す図である。
【図４】定義ファイル記憶部の記憶内容の一例を示す図である。
【図５】駅定義情報の一例を示す図である。
【図６】停車駅情報の一例を示す図である。
【図７】所要時間情報の一例を示す図である。
【図８】画面展開定義情報の一例を示す図である。
【図９】案内画面の一例を示す図である。
【図１０】図９に示す案内画面の場合の画面配置情報を示す図である。
【図１１】列車情報表示装置の動作を示すフローチャートである。
【図１２】表示パラメータの一例を示す図である。
【図１３】表示パラメータ生成処理を示すフローチャートである。
【図１４】案内画面生成処理を示すフローチャートである。
【図１５】画面切替処理を示すフローチャートである。
【発明を実施するための形態】
【００１２】
＜実施の形態＞
本発明の実施の形態について、図面を用いて以下に説明する。図１は、本発明の実施の形態に係る列車情報表示装置のブロック図である。列車情報表示装置は、列車を構成する各車両にそれぞれ搭載され、かつ、列車情報を受信して案内画面を表示する装置である。列車情報表示装置は、外部の地上系システム（図示省略）から送られる情報をもとに列車情報を算出して提供する列車情報提供装置１０と、案内画面を表示する表示装置２０とを備えている。列車情報提供装置１０は、例えば、列車に１台搭載されている。また、表示装置２０は、例えば、列車の車両ごとに複数台（例えば３台）搭載されている。ここで、列車情報は、駅情報（例えば、列車が在線する現在駅の情報）と、列車の走行状態（例えば、上り・下り、表示パターン）と、列車種別とを含む情報である。
【００１３】
次に、図２を用いて表示装置２０について説明する。図２は、表示装置２０のブロック図である。表示装置２０は、記憶部２１と、表示部３２と、通信部３０と、表示パラメータ生成部３１とを備えている。記憶部２１は、後述する種々の定義ファイルおよびコンテンツを記憶するメモリ等であり、コンテンツ記憶部２２と定義ファイル記憶部２５とを備えている。コンテンツ記憶部２２は、案内画面を構成するコンテンツについて、同じ駅で同じ種類に関するものをまとめて管理する管理手段として機能する。なお、コンテンツ記憶部２２と定義ファイル記憶部２５の詳細については後述することとする。
【００１４】
表示部３２は、画面生成部３３と画面切替部３４とを備え、記憶部２１に接続されている。画面生成部３３は、予め記憶された案内画面の表示言語の順序に従って、列車情報から案内画面を構成するために必要なコンテンツを、記憶部２１に記憶されたコンテンツから選択する選択手段として機能する。また、画面生成部３３は、予め記憶された案内画面におけるコンテンツの配置を示す画面配置情報に従って、選択されたコンテンツを配置することで案内画面を構成する構成手段としても機能する。
【００１５】
画面切替部３４は、予め記憶された画面展開のスケジュールに応じて案内画面を展開する展開手段として機能する。そして、展開された案内画面は、画面切替部３４と接続されたスクリーン３５に表示される。
【００１６】
通信部３０は、列車情報提供装置１０から列車情報をコマンド形式で受信する。表示パラメータ生成部３１は、記憶部２１の定義ファイル記憶部２５に記憶された定義ファイルを参照し、通信部３０により受信されたコマンドから案内画面を構成するための表示パラメータを生成する。ここで、記憶部２１、表示部３２、通信部３０、表示パラメータ生成部３１は、例えばＣＰＵ等のハードウェアと、このハードウェアと協働して動作する所定のソフトウェアにより実現される。
【００１７】
次に、記憶部２１に記憶される定義ファイルおよびコンテンツについて説明する。図３は、コンテンツ記憶部２２の記憶内容の一例を示す図であり、図４は、定義ファイル記憶部２５の記憶内容の一例を示す図である。
【００１８】
図３に示すように、コンテンツ記憶部２２は、案内画面を示す案内コンテンツを記憶する案内コンテンツ記憶部２３と、案内画面上に配置される部品レベルの部分コンテンツを記憶する部分コンテンツ記憶部２４とを有する。ここで、図３においては、案内コンテンツの一例として、”arrivingGuidance”という名称の案内コンテンツ４０と、”boundforGuidance”という名称の案内コンテンツ５０が記憶されている。また、部分コンテンツの一例として、”shubetu”という名称の部分コンテンツ４２ａと、”Text”という名称の部分コンテンツ４４ａと、”Car”という名称の部分コンテンツ４５ａと、”lineName”という名称の部分コンテンツ５２ａが記憶されている。
【００１９】
また、案内コンテンツ記憶部２３には、案内画面上における部分コンテンツ４２ａ，４４ａ，４５ａ，５２ａの配置位置４１〜４６，５０〜５２が記憶されている。なお、コンテンツとは、案内コンテンツと部分コンテンツとを含む総称である。
【００２０】
部分コンテンツは名称により一元的に管理されているが、同じ名称の案内コンテンツに表示言語、列車種別、駅ＩＤなどの属性を使って別の画像を設定することができる。例えば、”shubetu”という部分コンテンツ４２ａに普通列車を示す文字列と、快速電車を示す文字列が定義されている。外部から与えられる列車情報の列車種別の値が”１”であれば普通になり、”２”の場合は快速が選択される。
【００２１】
案内コンテンツは、部分コンテンツを案内画面のどこに表示（配置）させるかを定義したものである。案内コンテンツは、部分コンテンツと同様に名称で管理される。例えば、図３のように到着案内であれば”arrivingGuidance”という名称の案内コンテンツ４０があり、行先案内の場合は”boundforGuidance”という名称の案内コンテンツ５０がある。それぞれの案内コンテンツ４０，５０の中には部分コンテンツ記憶部２４に格納されている部分コンテンツ４２ａ，４４ａ，４５ａ，５２ａの配置位置がレイアウトされている。
【００２２】
例えば、案内コンテンツ４０の場合、列車種別を示す”shubetu”の配置位置４２、行先・方面を示す”ikisaki”の配置位置４３、案内を示す”Text”の配置位置４４、到着駅を示す”StationName”の配置位置４１、号車番号を示す接頭子である”Car”の配置位置４５、号車番号を示す”No”の配置位置４６が定義されている。
【００２３】
また、案内コンテンツ５０の場合、”lineName”の配置位置５２、”ikisaki”の配置位置５１が定義されている。このように、案内コンテンツにおいて部分コンテンツがどの位置に、どのサイズで表示されるかが定義されている。
【００２４】
なお、案内コンテンツの内容は、例えばテキスト形式で記載することもできるが、このようなコンテンツは市販のツールで生成することもできる。例えば、Adobe 社のFlash Professional （登録商標）ではグラフィカルにコンテンツを作画・配置し記憶することができる。
【００２５】
図４に示すように、定義ファイル記憶部２５には、駅定義情報と、所要時間情報と、停車駅情報と、画面展開定義情報と、画面配置情報などの定義ファイルが記憶されている。駅定義情報は、駅の属性（具体的には、駅を識別する駅ＩＤと言語による文字列）を定義する。所要時間情報は、駅間で必要な所要時間を上り・下りに分けて定義する。停車駅情報は、列車種別ごとの停車駅を定義する。
【００２６】
画面展開定義情報は、案内画面の展開順序およびスケジュール（より具体的には、列車情報提供装置１０から送信されるコマンドに含まれる表示パターンごとに、使用される案内コンテンツと表示言語と表示時間）を定義する。画面配置情報は、案内コンテンツに配置される部分コンテンツの選択、配置およびサイズを定義する。
【００２７】
図５は、駅定義情報の一例を示す図である。駅定義情報は、複数種類の言語で表示される駅名を各駅ごとにまとめて定義している。具体的には、駅ＩＤに対して、日本語（漢字）、平仮名、英語、韓国語、中国語の各言語の駅名を示す文字列が定義されている。例えば、駅ＩＤがＭ０９の場合、属性が日本語であれば“桃山台”、英語であれば”Momoyamadai”が選択される。
【００２８】
図６は、停車駅情報の一例を示す図である。駅ＩＤは、図６において下方を上り方面、上方を下り方面として並べられている。列車種別ごとに駅ＩＤで示される駅に停車する場合は○が入力され、停車しない場合は空白が入力されている。例えば、現在駅がＭ１０の上り快速電車であれば、次に停車する駅はＭ１３である。一方、現在駅がＭ１０の上り普通電車であれば、次に停車する駅はＭ１１であることを示している。
【００２９】
図７は、所要時間情報の一例を示す図である。図７において行方向に発駅、列方向に着駅として、Ｍ０８〜Ｍ１６がそれぞれ割り付けられており、駅間の所要時間が入力されている。例えば、現在駅（発駅）がＭ１１である上り普通電車であれば、次駅（着駅）であるＭ１２までの所要時間を求める場合、発駅をＭ１１、着駅をＭ１２として重なる箇所の数値が所要時間となる。この場合の所要時間は２分であることを示している。同様に、Ｍ１２（発駅）からＭ１３（着駅）までの所要時間も２分であることを示している。
【００３０】
図８は、画面展開定義情報の一例を示す図である。画面展開定義情報は、列車情報提供装置１０から送信されるコマンドに含まれる表示パターンごとに分類されており、各表示パターンにおいてどの案内コンテンツを使用するか、案内コンテンツをどの言語で表示させるかを定義する。例えば、停車中を示す表示パターン３の場合、使用する案内コンテンツは”Stopping”という名称の案内コンテンツであり、表示言語が３秒ごとに日本語、平仮名、英語の順に切り替えられることを示している。
【００３１】
この場合、”Stopping”という名称の案内コンテンツに含まれる部分コンテンツのうち、言語の属性を持つ部分コンテンツは、指定された言語に切り替えられる。例えば、図３において、”Text”の部分コンテンツは日本語または平仮名であれば“まもなく”、英語であれば”Arriving”の文字が使用される。
【００３２】
図９は、案内画面の一例として到着案内で表示される案内画面を示す図であり、図１０は、図９に示す案内画面の場合の画面配置情報を示す図である。図９に示すように、案内画面には、部分コンテンツ６０〜７３が配置されている。図１０に示すように、画面配置情報は、案内画面に含まれる部分コンテンツの識別子（文字列）をキーにして、その案内画面に表示（配置）する情報を定義する。
【００３３】
案内画面の案内コンテンツが”arrivingGuidance”の場合、部品名が現在駅を示す”current”について配置情報が（２００，２５０）、サイズが７０、駅ＩＤが０であることを示す。駅ＩＤの値０は現在駅に対するオフセットを示す。駅ＩＤが＋１であれば次駅、＋２であれば次々駅を示す。例えば、部品名がnext[1]であれば駅ＩＤは＋２なので、表示される駅名は、現在駅の次々駅の駅ＩＤで指定された駅名に対応することを示している。
【００３４】
次に、図１１を用いて列車情報表示装置における全体の動作を説明する。図１１は、列車情報表示装置の動作を示すフローチャートである。ＣＰＵは、定義ファイル記憶部２５から定義ファイルを読み込む（ステップＳ１）。ＣＰＵは、列車情報提供装置１０から送信されるコマンドを受信する（ステップＳ２）。列車情報の受信が終了していれば（ステップＳ３においてＹｅｓ）、この動作を終了する。そうでない場合は（ステップＳ３においてＮｏ）、受信したコマンドから列車情報（より具体的には、表示パターン、上り・下り、列車種別、現在駅のデータ）を取得する（ステップＳ４）。
【００３５】
次に、ＣＰＵは、画面展開中であれば展開終了かどうかを判定する（ステップＳ５）。展開終了であれば（ステップＳ５においてＹｅｓ）、ＣＰＵは、ステップＳ２へ移行し再びコマンドの受信を行う。そうでない場合（ステップＳ５においてＮｏ）、ＣＰＵは、取得したコマンドから表示パラメータを生成する（ステップＳ６）。
【００３６】
図１２は、表示パラメータの一例を示す図である。図１２に示す表示パラメータは、図９の案内画面（案内コンテンツ名arrivingGuidance）を生成するためのパラメータである。現在駅currentをＭ１３とし、通過駅を示す部分コンテンツであるpass[0]〜pass[2]、停車駅を示す部分コンテンツであるnext[0]〜next[2]、所要時間を示す部分コンテンツであるtime[0]〜time[2]の値がそれぞれ画面配置情報から算出されている。そして、ＣＰＵは、表示パラメータと画面配置情報を用いて案内画面を生成する（ステップＳ７）。
【００３７】
次に、図１３のフローチャートを用いて表示パラメータ生成処理を説明する。図１３は、表示パラメータ生成処理を示すフローチャートである。ＣＰＵは、コマンドから表示パターンを取得する（ステップＳ１１）。ここでは、取得した表示パターンを２とする。ＣＰＵは、画面展開定義情報から表示パターンに対応する案内コンテンツを取得する（ステップＳ１２）。具体的には、ＣＰＵは、図８に示す画面展開定義情報から表示パターン２に対応するArrivigGuideを取得する。
【００３８】
ＣＰＵは、コマンドから上り・下り、現在駅、列車種別の情報を取得する（ステップＳ１３）。ここで、ＣＰＵは、下り、現在駅Ｍ１３、列車種別が普通であることを取得したとする。ＣＰＵは、駅停車情報を参照し、上り・下り、現在駅、列車種別の情報から停車駅と通過駅とを算出する（ステップＳ１４）。ここでは、現在駅Ｍ１３に関する停車駅はＭ１４以後、つまり、Ｍ１４，Ｍ１５，Ｍ１６となり、通過駅はＭ１２以前、つまりＭ１２，Ｍ１１，Ｍ１０となる。
【００３９】
ＣＰＵは、所要時間情報を参照し、現在駅から停車駅までの所要時間を算出する（ステップＳ１５）。図７に示す所要時間情報から、現在駅Ｍ１３からの所要時間は、Ｍ１４まで２分、Ｍ１５まで４分、Ｍ１６まで６分であることがわかる。ＣＰＵは、列車情報提供装置１０から受信したコマンドから号車番号を取得し（ステップＳ１６）、この処理を終了する。
【００４０】
次に、図１４を用いて案内画面生成処理を説明する。図１４は、案内画面生成処理を示すフローチャートである。ＣＰＵは、受信したコマンドに含まれる表示パターンから表示する案内コンテンツを取得する（ステップＳ２１）。ここでは表示パターンを２とすると、図８に示す画面展開定義情報から案内コンテンツはarrivingGuidanceが選択される。
【００４１】
ＣＰＵは、図８に示す画面展開定義情報から最初の表示言語を取得する（ステップＳ２２）。ここでは、最初に取得される言語はJP:日本語である。ＣＰＵは、駅定義情報と表示パラメータから、案内コンテンツにおける部分コンテンツの配置位置に配置される駅名に関わる部分コンテンツを部分コンテンツ記憶部２４から取得する（ステップＳ２３）。
【００４２】
ここでは、current＝Ｍ１３とすると、駅名は図５の駅定義情報から”新大阪”となる。同様に、表示パラメータから次駅next[]については、次駅はＭ１４の”西中島南方”、次々駅はＭ１５の”中津”に、通過駅pass[]については、Ｍ１２の”東三国”、Ｍ１１の”江坂”などが部分コンテンツから選択される。同様に、行先駅ikisakiはＭ１６なので”梅田”となる。
【００４３】
ＣＰＵは、定義ファイル記憶部２５に記憶された駅定義情報と停車駅情報と所要時間情報と、表示パラメータから、所要時間に関わる部分コンテンツを選択する（ステップＳ２４）。ここでは、time[0]が２分であるので、２の部分コンテンツが部分コンテンツ記憶部２４から取得される。
【００４４】
ＣＰＵは、表示パラメータから列車種別、号車番号に関する部分コンテンツを取得する（ステップＳ２５）。ここでは、列車種別は”１”とすると、部分コンテンツ記憶部２４から”普通”の部分コンテンツが取得される。また、号車番号は”７”なので、同様に”７”の部分コンテンツが部分コンテンツ記憶部２４から取得される。ＣＰＵは、画面配置情報に基づいて、部分コンテンツを指定された位置に配置し、指定されたサイズで表示する（ステップＳ２６）。なお、取得した部分コンテンツの配置、拡大・縮小は、一般のベクタグラフィックエンジンを用いて行ってもよい。
【００４５】
次に、図１５を用いて画面切替処理を説明する。図１５は、画面切替処理を示すフローチャートである。画面切替処理は、図１１に示す案内画面生成処理（ステップＳ７）の際に実行される。ここで、案内画面は、arrivingGuidance、現在駅は、Ｍ１３として説明する。ＣＰＵは、定義ファイル記憶部２５に記憶された画面展開情報から、案内画面表示切替のタイミングを取得する（ステップＳ３１）。ここでは、図８に示す画面展開情報（表示パターン＝２）から最初の画面の表示時間が３秒なので、３秒経過時点が次の案内画面表示のタイミングとなる。
【００４６】
ＣＰＵは、画面展開情報から次の案内画面の属性を取得し、定義ファイル記憶部２５に記憶された駅定義情報を参照して部分コンテンツの表示を変更する（ステップＳ３２）。ここでは、次の案内画面の属性は”KANA”になっており、平仮名の表示であることがわかる。そこで、ＣＰＵは、案内画面の部分コンテンツの属性を”JP”から”KANA”に変更する。部分コンテンツ”current”の表示は、属性”JP”では”新大阪”であったが、属性が”KANA”になることから駅定義情報に基づいて、平仮名の”しんおおさか”に変更される。
【００４７】
ステップＳ３３において、このような属性の切り替えを案内画面に含まれる全ての部分コンテンツについて繰り返す。ＣＰＵは、全ての部分コンテンツについて属性の切り替えを実行した場合（ステップＳ３３においてＹｅｓ）、画面展開情報に従って次の案内画面表示切替のタイミングまで待機する。次の案内画面表示切替のタイミングになったときに画面展開が完了していない場合（ステップＳ３４においてＮｏ）、ＣＰＵはステップＳ３１へ移行し、画面展開情報から案内画面表示切替のタイミングを取得する。一方、画面展開が完了した場合（ステップＳ３４においてＹｅｓ）、ＣＰＵはこの処理を終了する。
【００４８】
以上のように、実施の形態１に係る列車情報表示装置では、案内画面を構成するコンテンツについて、同じ駅で同じ種類に関するものをまとめて管理する管理手段と、予め記憶された案内画面の表示言語の順序に従って、列車情報に含まれる駅情報と走行状態と列車種別から案内画面を構成するために必要なコンテンツを選択する選択手段と、予め記憶された案内画面におけるコンテンツの配置を示す画面配置情報に従って、選択されたコンテンツを配置することで案内画面を構成する構成手段と、予め記憶された画面展開のスケジュールに応じて案内画面を展開する展開手段とを備える。
【００４９】
したがって、上記のように、同じ駅で同じ種類に関するコンテンツをまとめて管理するため、表示言語およびフォント（種類、サイズなど）が異なる場合でも、１つのコンテンツとして管理することができる。これにより、表示に必要なデータ記憶容量を大幅に低減することができる。
【００５０】
上記の内容をより具体的に説明すると、案内画面上における当該案内画面を構成する部品レベルの部分コンテンツの配置を定義する画面配置情報と、駅の属性を定義する駅定義情報と、列車の種別ごとの停車駅を定義する停車駅情報と、駅間の所要時間を定義する所要時間情報と、案内画面の展開順序およびスケジュールを定義する画面展開定義情報とを含む定義ファイルを記憶する定義ファイル記憶部２５をさらに備える。
【００５１】
また、管理手段は、案内画面を示す案内コンテンツを記憶する案内コンテンツ記憶部２３と、部分コンテンツについて同じ駅に関するものをまとめて記憶する部分コンテンツ記憶部２４とを有するコンテンツ記憶部２２を備え、選択手段は、定義ファイル記憶部２５に定義された定義ファイルに基づいて、部分コンテンツを選択し、構成手段は、選択された部分コンテンツを画面配置情報に従って配置することで案内画面を生成する画面生成部３３を備え、展開手段は、生成された案内画面を画面展開定義情報に従って展開し、当該案内画面を切り替える画面切替部３４を備える。
【００５２】
このように、同じ駅で同じ種類に関するコンテンツをまとめて管理するため、表示言語およびフォント（種類、サイズなど）が異なる場合でも、１つのコンテンツとして管理することができる。これにより、表示に必要なデータ記憶容量を大幅に低減することができる。
【００５３】
また、従来は、案内画面を構成する全ての部分コンテンツの情報を定義ファイルに記述するため、部分コンテンツの数が増えると、多くの部分コンテンツの中から適当な部分コンテンツを選択して記述することが困難であった。このため、定義ファイルを作成するのに手間がかかるという問題があった。
【００５４】
これに対して、本実施の形態に係る列車情報表示装置では、定義ファイル記憶部２５に記憶された駅定義情報と停車駅情報とを参照し、列車情報に含まれる駅情報と列車種別から、停車駅および通過駅を示すＩＤと、停車駅までの所要時間とを算出し、表示パラメータを生成する表示パラメータ生成部３１をさらに備え、画面生成部３３は、画面配置情報を参照し、表示パラメータから案内画面を生成する。
【００５５】
したがって、案内画面を構成する部分コンテンツにどのコンテンツを割り付けるかを特定できる表示パラメータを生成することができる。これにより、案内画面の表示に際して、部分コンテンツの種別と配置座標とサイズとを指定するだけでよいため、案内画面を構成する全ての部分コンテンツの情報を定義する必要がなく定義ファイルの作成が容易となる。このため、列車情報表示装置の設計コストを低減することができる。また、定義ファイルの作成が容易になることから、列車情報表示装置における生産工程の時間短縮を図ることができる。
【００５６】
なお、本発明は、その発明の範囲内において、実施の形態を適宜、変形、省略することが可能である。
【符号の説明】
【００５７】
２２  コンテンツ記憶部、２３  案内コンテンツ記憶部、２４  部分コンテンツ記憶部、２５  定義ファイル記憶部、３１  表示パラメータ生成部、３３  画面生成部、３４  画面切替部。
【図１】
2014040216.tif 000003
【図２】
2014040216.tif 000004
【図３】
2014040216.tif 000005
【図４】
2014040216.tif 000006
【図５】
2014040216.tif 000007
【図６】
2014040216.tif 000008
【図７】
2014040216.tif 000009
【図８】
2014040216.tif 000010
【図９】
2014040216.tif 000011
【図１０】
2014040216.tif 000012
【図１１】
2014040216.tif 000013
【図１２】
2014040216.tif 000014
【図１３】
2014040216.tif 000015
【図１４】
2014040216.tif 000016
【図１５】
2014040216.tif 000017